(57)【要約】【課題】食事の前に弁当容器を加熱して、食事の際に温かい弁当を食することが可能な加熱機能付き弁当箱を提供する。【解決手段】上部に開口が設けられた弁当容器１１と、弁当容器１１が収納される収納ケース１２と、弁当容器１１又は収納ケース１２の蓋１３とを有する弁当箱１０において、収納ケース１２内に配置された弁当容器１１の下には、上部が弁当容器１１の底部に当接し、内部に酢酸ナトリウム水溶液が密閉された加熱バッグ１４が配置され、しかも、加熱バッグ１４の側部には、加熱バッグ１４に連通し、酢酸ナトリウム水溶液に衝撃を与えて発熱を誘発する発熱トリガー部材１５が収容されるトリガー収容部１６が突出形成され、更に、収納ケース１２には、トリガー収容部１６を収納ケース１２の外部に突出させる切り欠き１７が形成されている。【選択図】図１
0003145971.tif 000002
【実用新案登録請求の範囲】
【請求項１】
上部に開口が設けられた弁当容器と、該弁当容器が収納される収納ケースと、前記弁当容器又は前記収納ケースの蓋とを有する弁当箱において、
前記収納ケース内に配置された前記弁当容器の下には、上部が前記弁当容器の底部に当接し、内部に酢酸ナトリウム水溶液が密閉された加熱バッグが配置され、しかも、該加熱バッグの側部には、該加熱バッグに連通し、前記酢酸ナトリウム水溶液に衝撃を与えて発熱を誘発する発熱トリガー部材が収容されるトリガー収容部が突出形成され、更に、前記収納ケースには、前記トリガー収容部を該収納ケースの外部に突出させる切り欠きが形成されていることを特徴とする加熱機能付き弁当箱。
【請求項２】
請求項１記載の加熱機能付き弁当箱において、前記弁当容器には、米飯を収納する米飯収納部と、おかずを収納するおかず収納部が設けられ、前記加熱バッグは、加熱対象物となる前記米飯収納部の下のみに配置されていることを特徴とする加熱機能付き弁当箱。
【請求項３】
請求項１記載の加熱機能付き弁当箱において、前記弁当容器には、米飯を収納する米飯収納部と、おかずを収納するおかず収納部が設けられ、前記加熱バッグは、加熱対象物となる前記米飯収納部と前記おかず収納部の一部又は全部の下に配置されていることを特徴とする加熱機能付き弁当箱。
【請求項４】
請求項１記載の加熱機能付き弁当箱において、前記弁当容器には、米飯を収納する米飯収納部と、おかずを収納するおかず収納部が別体で設けられ、該米飯収納部が前記収納ケースに収納され、前記加熱バッグは、加熱対象物となる前記米飯収納部の下に配置されていることを特徴とする加熱機能付き弁当箱。
【請求項５】
請求項１〜４のいずれか１項に記載の加熱機能付き弁当箱において、前記加熱バッグの上面は、前記加熱対象物の形状に合わせて当接することを特徴とする加熱機能付き弁当箱。
【請求項６】
請求項１〜５のいずれか１項に記載の加熱機能付き弁当箱において、前記加熱バッグの底部には複数の突出部が分散配置されていることを特徴とする加熱機能付き弁当箱。
【請求項７】
請求項１〜５のいずれか１項に記載の加熱機能付き弁当箱において、前記加熱バッグの下面には該加熱バッグの下面形状に合わせた断熱材が設けられていることを特徴とする加熱機能付き弁当箱。
【請求項８】
請求項１〜７のいずれか１項に記載の加熱機能付き弁当箱において、前記発熱トリガー部材は、椀状の張出し部と、該張出し部の周囲に形成された鍔部とを備え、該張出し部は、外部からの荷重負荷で一側に張り出した状態から他側に張り出した状態に瞬時に変化することを特徴とする加熱機能付き弁当箱。
【考案の詳細な説明】
【技術分野】
【０００１】
本考案は、食事の前に調理物を収納している弁当容器を加熱して、食事の際に温かい調理物を提供する加熱機能付き弁当箱に関する。
【背景技術】
【０００２】
従来、弁当を食する場合、調理時刻と食事時刻が大きくずれているため、調理物は冷えた状態となっているのが一般的である。このため、弁当を食する前に、電子レンジで弁当を加熱することが行われている。また、ステンレスや黄銅等の金属製の容器に酢酸ナトリウム等の潜熱蓄熱材を封入し、その上部に流動性の熱伝導材を入れた保温室内の熱伝導材の中に被加温物（弁当）を入れるようにした調理保温器が提案されている（例えば、特許文献１参照）。
【０００３】
【特許文献１】特開昭６２−４７３２２号公報
【考案の開示】
【考案が解決しようとする課題】
【０００４】
しかしながら、弁当を電子レンジで加熱する場合、一度に多量の弁当の加熱ができず、しかも、加熱後の弁当の保温ができないという問題がある。更に、電子レンジを使用すると、例えば、和え物やサラダのように冷えた状態が食することが好ましい調理物も加熱されるという問題がある。また、特許文献１に記載された発明では、容器が金属製であるため重量が重く利便性に劣るという問題がある。更に、和え物やサラダのように保温に不向きな調理物がある場合、保温に適する調理物と保温に不適な調理物を分けてそれぞれ容器に収納せねばならず、弁当の運搬や携帯に問題が生じる。
【０００５】
本考案はかかる事情に鑑みてなされたもので、食事の前に調理物を収納している弁当容器を加熱して、食事の際に温かい調理物を食することが可能な加熱機能付き弁当箱を提供することを目的とする。
【課題を解決するための手段】
【０００６】
前記目的に沿う本考案に係る加熱機能付き弁当箱は、上部に開口が設けられた弁当容器と、該弁当容器が収納される収納ケースと、前記弁当容器又は前記収納ケースの蓋とを有する弁当箱において、
前記収納ケース内に配置された前記弁当容器の下には、上部が前記弁当容器の底部に当接し、内部に酢酸ナトリウム水溶液が密閉された加熱バッグが配置され、しかも、該加熱バッグの側部には、該加熱バッグに連通し、前記酢酸ナトリウム水溶液に衝撃（物理的衝撃）を与えて発熱を誘発する発熱トリガー部材が収容されるトリガー収容部が突出形成され、更に、前記収納ケースには、前記トリガー収容部を該収納ケースの外部に突出させる切り欠きが形成されている。
【０００７】
本考案に係る加熱機能付き弁当箱において、前記弁当容器には、米飯を収納する米飯収納部と、おかずを収納するおかず収納部が設けられ、前記加熱バッグは、加熱対象物となる前記米飯収納部の下のみに配置することができる。
【０００８】
本考案に係る加熱機能付き弁当箱において、前記弁当容器には、米飯を収納する米飯収納部と、おかずを収納するおかず収納部が設けられ、前記加熱バッグは、加熱対象物となる前記米飯収納部と前記おかず収納部の一部又は全部の下に配置することができる。
【０００９】
本考案に係る加熱機能付き弁当箱において、前記弁当容器には、米飯を収納する米飯収納部と、おかずを収納するおかず収納部が別体で設けられ、該米飯収納部が前記収納ケースに収納され、前記加熱バッグは、加熱対象物となる前記米飯収納部の下に配置することができる。
【００１０】
本考案に係る加熱機能付き弁当箱において、前記加熱バッグの上面は、前記加熱対象物の形状に合わせて当接することが好ましい。
また、前記加熱バッグの底部には複数の突出部が分散配置されていることが好ましい。
更に、前記加熱バッグの下面には該加熱バッグの下面形状に合わせた断熱材を設けてもよい。
【００１１】
本考案に係る加熱機能付き弁当箱において、前記発熱トリガー部材は、椀状の張出し部と、該張出し部の周囲に形成された鍔部とを備え、該張出し部は、外部からの荷重負荷で一側に張り出した状態から他側に張り出した状態に瞬時に変化することができる。
【考案の効果】
【００１２】
本考案に係る加熱機能付き弁当箱においては、加熱バッグは、収納ケース内に配置された弁当容器の下に配置されるので、調理物を弁当容器内に支障なく収容することができ、弁当容器、収納ケース、及び蓋と共に加熱バッグを回収することができる。そして、発熱トリガー部材が収容されたトリガー収容部が収納ケースの外部に突出しているので、弁当を食する前に収納ケースの外側から、すなわち、蓋をしたままの状態で発熱トリガー部材を介して酢酸ナトリウム水溶液に衝撃を与えることができ、容易かつ衛生的に弁当容器の加熱を開始することができる。また、加熱バッグは弁当容器の底部に当接しているので、加熱バッグで発生した熱を弁当容器に効率的に伝えて加熱することができると共に、保温も行うことができる。更に、酢酸ナトリウム水溶液は加熱バッグ内に密閉されているので、加熱バッグを弁当容器、収納ケース、及び蓋と共に煮沸消毒することで、加熱バッグの再使用が可能になる。
【００１３】
本考案に係る加熱機能付き弁当箱において、弁当容器に、米飯を収納する米飯収納部と、おかずを収納するおかず収納部が設けられ、加熱バッグが、加熱対象物となる米飯収納部の下のみに配置されている場合、米飯を加熱し保温することができる。ここで、おかず収納部で米飯収納部に近接する区画に加熱に適する種類のおかずを収納し、米飯収納部から離れた区画に加熱に不適なおかず（例えば、和え物、サラダ、果物等）を収納するようにすると、米飯の加熱及び保温と同時に、加熱に適する種類のおかずを温めて保温することもできる。
【００１４】
本考案に係る加熱機能付き弁当箱において、弁当容器に、米飯を収納する米飯収納部と、おかずを収納するおかず収納部が設けられ、加熱バッグが、加熱対象物となる米飯収納部とおかず収納部の一部又は全部の下に配置されている場合、米飯とおかずの一部又は全部を加熱し保温することができる。
【００１５】
本考案に係る加熱機能付き弁当箱において、弁当容器には、米飯を収納する米飯収納部と、おかずを収納するおかず収納部が別体で設けられ、米飯収納部が収納ケースに収納され、加熱バッグは、加熱対象物となる米飯収納部の下に配置されている場合、米飯のみを加熱し保温することができる。
【００１６】
本考案に係る加熱機能付き弁当箱において、加熱バッグの上面が、加熱対象物の形状に合わせて当接する場合、加熱対象物を確実、かつ効率的に加熱し保温することができる。
【００１７】
本考案に係る加熱機能付き弁当箱において、加熱バッグの底部に複数の突出部が分散配置されている場合、また、加熱バッグの下面に加熱バッグの下面形状に合わせた断熱材が設けられている場合、加熱バッグから収納ケースの底部への伝熱を抑えることができ、加熱対象物を効率的に加熱し保温することができる。
【００１８】
本考案に係る加熱機能付き弁当箱において、発熱トリガー部材が、椀状の張出し部と、張出し部の周囲に形成された鍔部とを備え、張出し部が、外部からの荷重負荷で一側に張り出した状態から他側に張り出した状態に瞬時に変化する場合、張出し部の張出し状態を変えることで酢酸ナトリウム水溶液に物理的衝撃を簡単な操作で加えることができ、弁当容器の加熱を容易に開始することができる。
【考案を実施するための最良の形態】
【００１９】
続いて、添付した図面を参照しつつ、本考案を具体化した実施の形態につき説明し、本考案の理解に供する。
ここで、図１は本考案の第１の実施の形態に係る加熱機能付き弁当箱の斜視図、図２（Ａ）、（Ｂ）は同加熱機能付き弁当箱の発熱トリガー部材の斜視図、（Ｃ）はトリガー収容部に収容された発熱トリガー部材の説明図、図３は本考案の第２の実施の形態に係る加熱機能付き弁当箱の斜視図、図４は本考案の第３の実施の形態に係る加熱機能付き弁当箱の斜視図である。
【００２０】
図１に示すように、本考案の第１の実施の形態に係る加熱機能付き弁当箱１０は、上部に開口が設けられた弁当容器１１と、弁当容器１１が収納される収納ケース１２と、収納ケース１２の蓋１３とを有している。そして、収納ケース１２内に配置された弁当容器１１の下には、上部が弁当容器１１の底部に当接し、内部に酢酸ナトリウム水溶液が密閉された加熱バッグ１４が配置され、しかも、加熱バッグ１４の側部には、加熱バッグ１４に連通し、酢酸ナトリウム水溶液に衝撃を与えて発熱を誘発する発熱トリガー部材１５が収容されるトリガー収容部１６が突出形成され、更に、収納ケース１２には、トリガー収容部１６を収納ケース１２の外部に突出させる切り欠き１７が形成されている。以下、詳細に説明する。
【００２１】
弁当容器１１は、煮沸に耐えられる耐熱性を有するプラスチック、例えば、ＡＢＳ樹脂、プロピルピレン等を用いて形成され、米飯を収納する米飯収納部１８と、おかずを収納するおかず収納部１９を備えている。また、おかず収納部１９は、複数、例えば、３つのおかず収納区画２０、２１、２２に分割されている。
【００２２】
収納ケース１２は、煮沸に耐えられる耐熱性を有するプラスチック、例えばＡＢＳ樹脂、プロピルピレンで形成され、弁当容器１１が収納された際に、弁当容器１１の側部を保護する周壁部２３と、弁当容器１１の底部を保護する底保護部２４を有している。そして、底保護部２４で、収納されている弁当容器１１のおかず収納部１９の底部に対向する領域には、おかず収納部１９の底部に当接しておかず収納部１９を支える載置台２５が突出して形成されている。このため、弁当容器１１が収納された際に、載置台２５に隣接して米飯収納部１８の底部の下には空間部２６が形成され、加熱バッグ１４の外形状はこの空間部２６の形状に合わせて、例えば、厚みが０．１〜０．２ｍｍのポリエチレンシートを用いて形成されている。更に、空間部２６を囲む周壁部２３には、周壁部２３の上端から収納ケース１２の底保護部２４内面との接続部位置まで延びる切り欠き１７が、収納ケース１２の底保護部２４内面に対して垂直に形成されている。これによって、トリガー収容部１６が収納ケース１２の周壁部２３に形成した切り欠き１７の下部から外部に突出するように空間部２６内に加熱バッグ１４を収納することで、加熱バッグ１４の上面を米飯収納部１８の底部の形状に合わせて密接して当接するように配置することができる。
【００２３】
ここで、加熱バッグ１４からは、米飯収納部１８内に収容されているの米飯の温度を、例えば、４０〜６０℃まで加熱するのに必要な熱を発生させる必要がある。このため、加熱バッグ１４の厚みは、この熱量を賄うのに必要な量の酢酸ナトリウム水溶液が保持できる厚みとする必要があり、空間部２６の厚み（載置台２５の高さ）は、加熱バッグ１４の厚みに基づいて決定される。そして、空間部２６の厚みが決まると、空間部２６の厚みが確保されるように弁当容器１１の高さに基づいて周壁部２３の高さが決定される。更に、加熱バッグ１４の底部には、加熱バッグ１４と同材質の複数の突出部２７が分散配置されている。加熱バッグ１４の底部に突出部２７を分散配置することで、加熱バッグ１４の底部が収納ケース１２の底保護部２４に密接するのが防止できる。これによって、加熱バッグ１４の底部から収納ケース１２の底保護部２４に熱が伝達されるのが抑制される。
【００２４】
蓋１３は、煮沸に耐えられる耐熱性を有するプラスチック、例えばＡＢＳ樹脂で形成され、弁当容器１１が収納された収納ケース１２に被さって、米飯収納部１８に収納された米飯及びおかず収納部１９に収納されたおかずを覆っている。そして、蓋１３は、蓋１３が収納ケース１２に被さった際に、米飯収納部１８及びおかず収納部１９の各開口の上方を一体で覆う天板部材２８と、天板部材２８の縁部に下方に向けて立設され、収納ケース１２の周壁部２３外面の上部側領域を覆う側壁部材２９とを有している。このため、蓋１３を収納ケース１２に被せた場合、側壁部材２９は収納ケース１２の周壁部２３に形成した切り欠き１７の上側のみを覆い、切り欠き１７の下側は露出するため、トリガー収容部１６が収納ケース１２の周壁部２３に形成した切り欠き１７の下部から外部に突出する際の妨げにならない。
【００２５】
発熱トリガー部材１５は、金属、例えば鋼で形成されており、図２（Ａ）に示すように、椀状の張出し部３０と、張出し部３０の周囲に形成された鍔部３１とを備えている。そして、発熱トリガー部材１６の張出し部３０は、張出し部３０を押圧する外部からの負荷を受けて、一側（上方）に張り出した状態から、図２（Ｂ）に示すように、他側（下方）に張り出した状態に瞬時に変化する。また、図２（Ｂ）に示す他側に張り出した状態の張出し部３０を押圧する外部からの荷重を負荷すると、他側に張り出した状態から、図２（Ａ）に示す一側に張り出した状態に瞬時に変化し、発熱トリガー部材１６の張出し部３０は、外部から張出し部３０に負荷する荷重の方向に応じて張出し状態を変化させることができる。
【００２６】
従って、張出し部３０の張り出し状態が瞬時に変化する際に、張出し部３０周囲の酢酸ナトリウム水溶液に物理的衝撃を加えることができる。そして、トリガー収容部１６は加熱バッグ１４に連通しているので、張出し部３０の周囲の酢酸ナトリウム水溶液に加えられた物理的衝撃は、加熱バッグ１４内の酢酸ナトリウム水溶液に伝播し、加熱バッグ１４内の酢酸ナトリウム水溶液に発熱を開始させることができる。なお、図２（Ｃ）に示すように、トリガー収容部１６と加熱バッグ１４の連通部分には、発熱トリガー部材１５が加熱バッグ１４内に移動するのを防止する対となる掛止部３２が設けられている。
【００２７】
次に、本考案の第１の実施の形態に係る加熱機能付き弁当箱１０の使用方法について説明する。
先ず、加熱バッグ１４を煮沸して、加熱バッグ１４内の酢酸ナトリウムを完全に溶解させる。そして、加熱バッグ１４を、例えば１０℃以下に徐冷して、加熱バッグ１４内の酢酸ナトリウム水溶液を過飽和状態にする。このとき、加熱バッグ１４内には酢酸ナトリウムが析出していないため、酢酸ナトリウム水溶液は過冷却状態にもなっている。
【００２８】
次いで、過飽和状態（過冷却状態）の加熱バッグ１４を収納ケース１２の底部に、加熱バッグ１４に設けたトリガー収容部１６を収納ケース１２に形成した切り欠き１７の下部から外部に突出させて収納する。ここで、米飯収納部１８に米飯が、おかず収納部１９におかずがそれぞれ収納された弁当容器１１を収納ケース１２に収容する。このとき、おかず収納部１９の底部には載置台２５が当接しておかず収納部１９を支え、米飯収納部１８の底部には加熱バッグ１４の上面が当接して米飯収納部１８を支えている。そして、弁当容器１１が収納された収納ケース１２に蓋１３を被せる。これにより、加熱機能付き弁当箱１０を搬送することが可能になる。このとき、収納ケース１２に設けた切り欠き１７の下側は露出し、トリガー収容部１６は収納ケース１２の切り欠き１７から外部に突出している。
【００２９】
弁当を食する場合、収納ケース１２の切り欠き１７から外部に突出しているトリガー収容部１６内に収容されている発熱トリガー部材１５の張出し部３０に外部から荷重を負荷して張出し状態を瞬時に変化させる。張出し部３０の張出し状態が瞬時に変化する際に、張出し部３０周囲の酢酸ナトリウム水溶液には物理的衝撃を加えられ、トリガー収容部１６と加熱バッグ１４は連通しているため、張出し部３０の周囲の酢酸ナトリウム水溶液に加えられた物理的衝撃は、加熱バッグ１４内の酢酸ナトリウム水溶液に伝播する。これにより、過冷却状態の酢酸ナトリウム水溶液において凝固が開始され、凝固熱が発生する。ここで、加熱バッグ１４は米飯収納部１８の底部に密接して当接しているので、加熱バッグ１４で発生した凝固熱を米飯収納部１８に効率的に伝えて米飯を加熱することができると共に、保温も行うことができる。なお、加熱バッグ１４の底部には突出部２７が分散配置されているので、加熱バッグ１４の底部が収納ケース１２の底部に密接するのが防止され、加熱バッグ１４の底部から収納ケース１２の底部に熱が伝達されるのが抑制される。
【００３０】
蓋１３をしたままの状態で発熱トリガー部材１５を操作して酢酸ナトリウム水溶液に衝撃を与えることができるので、容易かつ衛生的に米飯収納部１８の加熱を開始することができる。そして、加熱バッグ１４が米飯収納部１８の下のみに配置されているので、おかず収納部１９のおかず収納区画２０、２１、２２で米飯収納部１８に近接する領域に加熱に適する種類のおかずを収納し、おかず収納区画２０、２１、２２で米飯収納部１８から離れた領域に加熱に不適なおかず（例えば、和え物、サラダ、果物等）を収納するようにすると、米飯の加熱及び保温と同時に、加熱に適する種類のおかずを温めて保温することができる。
【００３１】
弁当を食する場合、加熱バッグ１４は、収納ケース１２内に収納した状態とすることができる。このため、加熱バッグ１４を、弁当容器１１、収納ケース１２、及び蓋１３と共に回収することができ、加熱バッグ１４は、弁当容器１１、収納ケース１２、及び蓋１３と共に煮沸消毒することで、加熱バッグ１４内の酢酸ナトリウムを完全に溶解させることができる。そして、加熱バッグ１４を徐冷することで加熱バッグ１４内の酢酸ナトリウム水溶液を過飽和状態（過冷却状態）にすることができ、加熱バッグ１４の再使用が可能になる。
【００３２】
図３に示すように、本考案の第２の実施の形態に係る加熱機能付き弁当箱３３は、第１の実施の形態に係る加熱機能付き弁当箱１０と比較して、加熱バッグ３４が、加熱対象物となる米飯収納部１８とおかず収納部１９の全部の下に配置されていることが特徴となっている。このため、加熱バッグ３４及び加熱バッグ３４を収容する収納ケース３５についてのみ説明し、加熱機能付き弁当箱１０と同一の構成部材には同一の符号を付して詳細な説明は省略する。また、加熱機能付き弁当箱３３の使用方法は、加熱機能付き弁当箱１０の使用方法と同一なので、説明は省略する。
【００３３】
収納ケース３５は、煮沸に耐えられる耐熱性を有するプラスチック、例えばＡＢＳ樹脂、プロピルピレンで形成され、弁当容器１１が収納された際に、弁当容器１１の側部を保護する周壁部３６と、弁当容器１１の底部を保護する底保護部３７を有している。そして、弁当容器１１が収納ケース３５内に収納された際に、米飯収納部１８の底部及びおかず収納部１９の底部の下には空間部が形成され、加熱バッグ３４の外形状はこの空間部の形状に合わせて、例えば、厚みが０．１〜０．２ｍｍのポリエチレンシートを用いて形成されている。更に、空間部を囲む周壁部３６には、周壁部３６の上端から収納ケース３５の底保護部３７内面との接続部位置まで延びる切り欠き３８が、収納ケース３５の底保護部３７に対して垂直に形成されている。これによって、トリガー収容部１６が収納ケース１２の周壁部３５に形成した切り欠き３８の下部から外部に突出するように空間部内に加熱バッグ３４を収納することで、加熱バッグ３４の上面を米飯収納部１８の底部及びおかず収納部１９の底部の形状に合わせて密接して当接するように配置することができ、米飯とおかず全部を加熱し保温することができる。
【００３４】
ここで、加熱バッグ３４からは、米飯収納部１８内に収容されている米飯及びおかず収納部１９に収容されているおかずの温度を、４０〜６０℃まで加熱するのに必要な熱を発生させる必要がある。このため、加熱バッグ３４の厚みは、この熱量を賄うのに必要な量の酢酸ナトリウム水溶液が保持できる厚みとする必要があり、空間部の厚みは、加熱バッグ３４の厚みに基づいて決定される。そして、空間部の厚みが決まると、空間部の厚みが確保されるように弁当容器１１の高さに基づいて周壁部３６の高さが決定される。更に、加熱バッグ３４の底部には、加熱バッグ３４と同材質の突出部２７ａが分散配置されている。加熱バッグ３４の底部に突出部２７ａを分散配置することで、加熱バッグ３４の底部が収納ケース３５の底保護部３７に密接するのが防止できる。これによって、加熱バッグ３４の底部から収納ケース３５の底部に熱が伝達されるのが抑制される。
【００３５】
図４に示すように、本考案の第３の実施の形態に係る加熱機能付き弁当箱３９は、第１の実施の形態に係る加熱機能付き弁当箱１０と比較して、弁当容器４０には、米飯を収納する米飯収納部４１と、おかずを収納するおかず収納部４２が別体で設けられ、米飯収納部４１が収納ケース４３に収納され、加熱バッグ４４は、加熱対象物となる米飯収納部４１の下に配置され、加熱バッグ４４に形成されたトリガー収容部１６は、収納ケース４３に形成された切り欠き４５から収納ケース４３の外部に突出していることが特徴となっている。以下、詳細に説明するが、加熱機能付き弁当箱１０と同一の構成部材には同一の符号を付して説明は省略する。
【００３６】
米飯収納部４１及びおかず収納部４２は、煮沸に耐えられる耐熱性を有するプラスチック、例えば、ＡＢＳ樹脂、プロピルピレン等を用いて形成されている。そして、おかず収納部４２の底外面の四隅には、米飯収納部４１の開口の四隅に嵌入する図示しない突起部が設けられ、米飯収納部４１の上におかず収納部４２を積み重ねることができる。また、おかず収納部４２は、複数、例えば、５つのおかず収納区画４６、４７、４８、５０に分割されている。
【００３７】
収納ケース４３は、煮沸に耐えられる耐熱性を有するプラスチック、例えばＡＢＳ樹脂、プロピルピレンで形成され、米飯収納部４１が収納された際に、米飯収納部４１の側部を保護する周壁部５１と、米飯収納部４１の底部を保護する底保護部５２を有している。収納ケース４３内に米飯収納部４１が収納された際、米飯収納部４１の底部の下には空間部が形成され、加熱バッグ４４の外形状はこの空間部の形状に合わせて、例えば、厚みが０．１〜０．２ｍｍのポリエチレンシートを用いて形成されている。そして、切り欠き４５は、空間部を囲む周壁部５１に、周壁部５１の上端から収納ケース４３の底部内面との接続部位置までの範囲に垂直に形成されている。これによって、トリガー収容部１６が収納ケース４３に形成した切り欠き４５の下部から外部に突出するように空間部内に加熱バッグ４４を収納することで、加熱バッグ４４の上面を米飯収納部４１の底部の形状に合わせて密接して当接するように配置することができる。
【００３８】
ここで、加熱バッグ４４からは、米飯収納部４１内に収容されているの米飯の温度を、例えば、４０〜６０℃まで加熱するのに必要な熱を発生させる必要がある。このため、加熱バッグ４４の厚みは、この熱量を賄うのに必要な量の酢酸ナトリウム水溶液が保持できる厚みとする必要があり、空間部の厚みは、加熱バッグ４４の厚みに基づいて決定される。そして、空間部の厚みが決まると、空間部の厚みが確保されるように米飯収納部４１の高さに基づいて周壁部５１の高さが決定される。更に、加熱バッグ４４の底部には、加熱バッグ４４と同材質の突出部５３が分散配置されている。加熱バッグ４４の底部に突出部５３を分散配置することで、加熱バッグ４４の底部が収納ケース４３の底保護部５２に密接するのが防止できる。これによって、加熱バッグ４４の底部から収納ケース４３の底保護部５２に熱が伝達されるのが抑制される。
【００３９】
蓋５４は、煮沸に耐えられる耐熱性を有するプラスチック、例えばＡＢＳ樹脂で形成され、弁当容器４０のおかず収納部４２に被さって、おかず収納部４２に収納されたおかずを覆っている。そして、蓋５４は、蓋５４がおかず収納部４２に被さった際に、おかず収納部４２の開口の上方を一体で覆う天板部材５５と、天板部材５５の縁部に下方に向けて立設され、おかず収納部４２の側部を覆う側壁部材５６とを有している。このため、蓋５４を弁当容器４０のおかず収納部４２に被せた場合、収納ケース４３の周壁部５１に形成した切り欠き４５は蓋５４の側壁部材５６で覆われず、トリガー収容部１６が収納ケース４３の周壁部５１に形成した切り欠き４５の下部から外部に突出する妨げにならない。
【００４０】
次に、本考案の第３の実施の形態に係る加熱機能付き弁当箱３９の使用方法について説明する。
先ず、加熱バッグ４４を煮沸して、加熱バッグ４４内の酢酸ナトリウムを完全に溶解させる。そして、加熱バッグ４４を徐冷して、加熱バッグ４４内の酢酸ナトリウム水溶液を過飽和状態にする。このとき、加熱バッグ４４内には酢酸ナトリウムが析出していないため、酢酸ナトリウム水溶液は過冷却状態にもなっている。
【００４１】
次いで、過飽和状態（過冷却状態）の加熱バッグ４４を収納ケース４３の底部に、加熱バッグ４４に設けたトリガー収容部１６を収納ケース４３に形成した切り欠き４５の下部から外部に突出させて収納する。ここで、米飯が収容された米飯収納部４１を収納ケース４３に収容し、米飯収納部４１の上におかずが収容されたおかず収納部４２を載置する。このとき、米飯収納部４１の底部には加熱バッグ４４の上面が当接して米飯収納部４１を支えている。そして、おかずが収容されたおかず収納部４２に蓋５４を被せる。これにより、加熱機能付き弁当箱３９を搬送することが可能になる。このとき、収納ケース４３に設けた切り欠き４５からはトリガー収容部１６が外部に突出している。
【００４２】
弁当を食する場合、収納ケース４３の切り欠き４５から外部に突出しているトリガー収容部１６内に収容されている発熱トリガー部材１５の張出し部３０に外部から荷重を負荷して張出し状態を瞬時に変化させる。張出し部３０の張出し状態が瞬時に変化する際に、張出し部３０周囲の酢酸ナトリウム水溶液には物理的衝撃を加えられ、トリガー収容部１６と加熱バッグ４４は連通しているため、張出し部３０の周囲の酢酸ナトリウム水溶液に加えられた物理的衝撃は、加熱バッグ４４内の酢酸ナトリウム水溶液に伝播する。これにより、過冷却状態の酢酸ナトリウム水溶液において凝固が開始され、凝固熱が発生する。ここで、加熱バッグ４４は米飯収納部４１の底部に密接して当接しているので、加熱バッグ４４で発生した凝固熱を米飯収納部４１に効率的に伝えて米飯を加熱することができると共に、保温も行うことができる。なお、加熱バッグ４４の底部には突出部５３が分散配置されているので、加熱バッグ４４の底部が収納ケース４３の底保護分５２に密接するのが防止され、加熱バッグ４４の底部から収納ケース４３の底保護部５２に熱が伝達されるのが抑制される。
【００４３】
蓋５４をしたままの状態で発熱トリガー部材１５を操作して酢酸ナトリウム水溶液に衝撃を与えることができるので、容易かつ衛生的に米飯収納部４１の加熱を開始することができる。そして、加熱バッグ４４が米飯収納部４１の下のみに配置されているので、おかず収納部４２は加熱されない。そして、弁当を食する場合、加熱バッグ４４は、収納ケース４３内に収納した状態とすることができる。このため、加熱バッグ４４を、米飯収納部４１、おかず収納部４２、収納ケース４３、及び蓋５４と共に回収することができ、加熱バッグ４４は、米飯収納部４１、おかず収納部４２、収納ケース４３、及び蓋５４と共に煮沸消毒することで、加熱バッグ４４内の酢酸ナトリウムを完全に溶解させることができる。そして、加熱バッグ４４を徐冷することで加熱バッグ４４内の酢酸ナトリウム水溶液を過飽和状態（過冷却状態）にすることができ、加熱バッグ４４の再使用が可能になる。
【００４４】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の加熱機能付き弁当箱を構成する場合も本考案の権利範囲に含まれる。
例えば、第２の実施の形態に係る加熱機能付き弁当箱において、加熱対象物を米飯収納部及びおかず収納部の一部とすることができる。この場合、加熱バッグが、米飯収納部及びおかず収納部の一部の下に配置されるように、加熱バッグの形状及び加熱バッグが装入される空間部の形状を決定する。
また、第１〜第３の実施の形態で、加熱バッグの下面に、加熱バッグの下面形状に合わせた断熱材を設けて、収納ケースの底保護部に加熱バッグの下面が接するのを防止してもよい。
更に、第３の実施の形態で、蓋の側壁部材が収納ケースの周壁部に形成した切り欠きの上側までの範囲を覆うようにすることも、別体で設けられた米飯収納部とおかず収納部を並べて一つの収納ケース内に収納すると共に、加熱バッグを米飯収納部の下のみに配置するようにすることもできる。
【図面の簡単な説明】
【００４５】
【図１】本考案の第１の実施の形態に係る加熱機能付き弁当箱の斜視図である。
【図２】（Ａ）、（Ｂ）は同加熱機能付き弁当箱の発熱トリガー部材の斜視図、（Ｃ）はトリガー収容部に収容された発熱トリガー部材の説明図である。
【図３】本考案の第２の実施の形態に係る加熱機能付き弁当箱の斜視図である。
【図４】本考案の第３の実施の形態に係る加熱機能付き弁当箱の斜視図である。
【符号の説明】
【００４６】
１０：加熱機能付き弁当箱、１１：弁当容器、１２：収納ケース、１３：蓋、１４：加熱バッグ、１５：発熱トリガー部材、１６：トリガー収容部、１７：切り欠き、１８：米飯収納部、１９：おかず収納部、２０、２１、２２：おかず収納区画、２３：周壁部、２４：底保護部、２５：載置台、２６：空間部、２７、２７ａ：突出部、２８：天板部材、２９：側壁部材、３０：張出し部、３１：鍔部、３２：掛止部、３３：加熱機能付き弁当箱、３４：加熱バッグ、３５：収納ケース、３６：周壁部、３７：底保護部、３８：切り欠き、３９：加熱機能付き弁当箱、４０：弁当容器、４１：米飯収納部、４２：おかず収納部、４３：収納ケース、４４：加熱バッグ、４５：切り欠き、４６、４７、４８、５０：おかず収納区画、５１：周壁部、５２：底保護部、５３：突出部、５４：蓋、５５：天板部材、５６：側壁部材
【図１】
0003145971.tif 000003
【図２】
0003145971.tif 000004
【図３】
0003145971.tif 000005
【図４】
0003145971.tif 000006